(57)【特許請求の範囲】
【請求項１】
上流側流路に連通する流入路から、下流側流路に連通する流出路への上向きの通流口を有する本体を設け、前記本体の前記通流口を開閉するバルブを、断面が逆台形状であって上部にフランジを設けた形状とし、前記フランジ上に筒状ベローズを設置して前記筒状ベローズによって前記バルブを支持させ、前記筒状ベローズの上端は、前記本体上面に配置した環状部材の中央開口部の裏面側端縁に一体化し、前記環状部材は、前記流入路と前記流出路とに跨った状態にて前記本体上面に配置して、前記本体と前記本体上に固定される外筒とで挟持させ、前記バルブは、前記外筒内に収装されたスプリングに付勢されて前記環状部材の中央開口部内を上下に摺動するピストンが当接することによって押下されるようにし、前記ピストンは、その上面に前記スプリングの下部をカバーするベローズカバーを備えて成ることを特徴とするリリーフバルブ。
【発明の詳細な説明】
【０００１】
【発明の属する技術分野】
本発明は、リリーフバルブ、より詳細には、流体経路の中途に配備されて流体の圧力制御を行なうリリーフバルブに関するものである。
【０００２】
【従来の技術】
リリーフバルブは一般に、上流側流路３１に連通する流入路３２と、下流側流路３３に連通する流出路３４とを有し、流入路３２から流出路３４への通流口３５は、周囲をダイヤフラム３６によって支持されたバルブ３７によって閉塞される構造となっている（図２参照）。
【０００３】
このバルブ３７は、スプリング３８によって常時押下されて通流口３５を閉塞しているが、流入路３２から所定圧以上の流体圧がかかると、スプリング３８の押下力に抗して押し上げられ、通流口３５を開口する。かくして流体は、流入路３２から通流口３５を経て流出路３３へと流れる。そして、流体圧が低下してスプリング３８の押下力に負けると、バルブ３７はスプリング３８の押下力によって下降し、通流口３５を閉塞して流体の通過を阻止する。
【０００４】
このような構成のリリーフバルブの場合は受圧面積が大きいため、流体圧がバルブ開閉の動作に影響を及ぼし、振動を惹起する。即ち、この場合は、流入路３２から流出路３４に亘るダイヤフラムの全体で受圧してバルブを開閉する。
【０００５】
また、バルブ３７を支持するダイヤフラム３６はその性質上、所定圧以上の流体圧がかかるまで変位せず、流体圧が所定圧を越えることによって一気に変位してバルブ３７を開く。従って、バルブの開閉動作が急激に行われることになり、その際にスプリング３８に与える力が大きく、ダイヤフラムが横揺れすることもあってスプリング３８の振動は大きなものとなる。その結果、バルブの開閉動作が不安定となるだけでなく、その動作を繰り返すことによってダイヤフラムが次第に伸長し、耐久性に欠けるという欠点がある。
【０００６】
【発明が解決しようとする課題】
上記従来の、バルブがダイヤフラムによって支持されるタイプのリリーフバルブにおいては、バルブの受圧面積が大きく且つバルブの開閉が急激であるために、送液時に振動が発生しやすく、バルブの開閉動作が安定しないという欠点があったので、本発明はそのような欠点のない、即ち、送液時の振動発生が少なく、バルブの開閉動作がスムーズで安定しているリリーフバルブを提供することを課題とする。
【０００７】
【課題を解決するための手段】
本発明は、上流側流路に連通する流入路から、下流側流路に連通する流出路への上向きの通流口を有する本体を設け、前記本体の前記通流口を開閉するバルブを、断面が逆台形状であって上部にフランジを設けた形状とし、前記フランジ上に筒状ベローズを設置して前記筒状ベローズによって前記バルブを支持させ、前記筒状ベローズの上端は、前記本体上面に配置した環状部材の中央開口部の裏面側端縁に一体化し、前記環状部材は、前記流入路と前記流出路とに跨った状態にて前記本体上面に配置して、前記本体と前記本体上に固定される外筒とで挟持させ、前記バルブは、前記外筒内に収装されたスプリングに付勢されて前記環状部材の中央開口部内を上下に摺動するピストンが当接することによって押下されるようにし、前記ピストンは、その上面に前記スプリングの下部をカバーするベローズカバーを備えて成ることを特徴とするリリーフバルブ、を以て上記課題を解決した。
【０００８】
【発明の実施の形態】
本発明の実施の形態を添付図面に依拠して説明する。本発明に係るリリーフバルブは、上流側流路１に連通する流入路２と、下流側流路３に連通する流出路４とを有する本体１０を備える。流入路２から流出路４への通流口５は、筒状ベローズ６によって支持されたバルブ７によって開閉される。
【０００９】
図示したバルブ７は逆台形状を呈していて、上部にフランジ８が形成されている。筒状ベローズ６の下端は、このフランジ８上面に固定される。筒状ベローズ６の上端は、環状部材９の中央開口部の裏面側端縁に固定される。環状部材９は、流入路２と流出路４に跨った状態にて、本体１０上に配置される。
【００１０】
１１は外筒で、本体１０上に固定され、上方から環状部材９を押さえ止める。外筒１１内には、下部が上記環状部材９の中央開口部内に臨み、その下面がバルブ７の上面に当接するピストン１２が、上下動可能に嵌装される。ピストン１２は、上面に一体化されたベローズカバー１３によって支持され、また、上面にスプリング受け１４が配置される。
【００１１】
１５は、上方から外筒１１内にネジ込まれる内筒で、その内側にスプリング押え１６を備え、このスプリング押え１６とスプリング受け１４との間にスプリング１７が配装される。スプリング１７は、常時スプリング受け１４及びピストン１２を介してバルブ７を押下するよう作用し、バルブ７によって通流口５を閉塞させる。１８は、外筒１１の上部にネジ付けられるキャップである。
【００１２】
上記構成においては、上流側流路１より流入路２に流入した流体の流体圧がバルブ７にかかるが、その流体圧によってバルブ７を押し上げようとする力がスプリング１７による押下力より小さい場合は、バルブ７は移動せずに通流口５を閉塞した状態を維持する。そして、上記押上力が上記押下力を上回るに至り、バルブ７は徐々に上昇して通流口５を開き、流体の通流を許容する。
【００１３】
バルブ７は筒状ベローズ６によって支持されているため、バルブ開閉に関係する受圧面積が小さく、しかも、上記バルブ７の上昇動作及びバルブ７によるスプリング１７の押上動作は、流体圧とスプリング１７のバネ圧とのバランスに応じた緩やかで、安定したものであるので、バルブ７の開閉に伴なうスプリング１７の伸縮による振動の発生は少ない。また、筒状ベローズ６の場合は、特に長さの制限がないため、バルブ７の昇降ストロークを十分に大きく取ることができる。そのため、十分な広さの流路を確保できて、十分な量の流体をスムーズに移送することが可能となる。
【００１４】
【発明の効果】
本発明は、上述した通りであって、バルブを筒状ベローズによって支持させるようにしたため、その昇降動作が緩やかでスムーズであり、振動の発生が少なく、また、バルブの昇降ストロークを十分に取ることができて十分な広さの流路を確保し得る効果がある。
【図面の簡単な説明】
【図１】本発明に係るリリーフバルブの構成図である。
【図２】従来のリリーフバルブの構成図である。
【符号の説明】
１    上流側流路
２    流入路
３    下流側流路
４    流出路
５    通流口
６    筒状ベローズ
７    バルブ
８    フランジ
９    環状部材
１０    本体
１１    外筒
１２    ピストン2
１３    ベローズカバー
１４    スプリング受け
１５    内筒
１６    スプリング押え
１７    スプリング
１８    キャップ
【図１】
0003947392.tif 000002
【図２】
0003947392.tif 000003